(57)【要約】雑音抑圧器（８）は、Ａ／Ｄ変換器（２）によってデジタル信号に変換された送話音声に含まれる雑音を抑圧する。側音レベル制御器（９）は、雑音抑圧器（８）によって雑音が抑圧された後の送話信号のレベルを制御し、側音として出力する。そして、Ｄ／Ａ変換器（１５）は、側音が加算された後の受話信号をデジタル信号からアナログ信号に変換する。したがって、送話者の背景に存在する雑音のレベルによって側音のレベルが変更されるのを防止することが可能となり、送話者が適正な音量で発話を行なえるように側音を制御することが可能となる。
2003103253.tif 000002
【特許請求の範囲】
【請求項１】
送話音声をアナログ信号からデジタル信号に変換する第１の変換器（２）と、
前記第１の変換器（２）によってデジタル信号に変換された送話信号を符号化する音声符号化器（３）と、
前記音声符号化器（３）によって符号化された送話信号を送信する送信処理回路（４）と、
符号化された受話信号を受信する受信処理回路（１２）と、
前記受信処理回路（１２）によって受信された受話信号を復号する音声復号化器（１３）と、
前記第１の変換器（２）によってデジタル信号に変換された送話信号に含まれる雑音を抑圧し、前記音声復号化器（１３）によって復号された受話信号に付加する側音を生成する側音回路（７ａ，７ｂ，７ｅ，７ｆ）と、
側音が加算された後の受話信号をデジタル信号からアナログ信号に変換する第２の変換器（１５）とを含む送受話装置。
【請求項２】
前記側音回路（７ａ）は、前記第１の変換器（２）によってデジタル信号に変換された送話音声に含まれる雑音を抑圧する雑音抑圧器（８）と、
前記雑音抑圧器（８）によって雑音が抑圧された後の送話信号のレベルを制御し、側音として出力する側音レベル制御器（９）とを含む、請求項１記載の送受話装置。
【請求項３】
前記側音回路（７ｂ）は、前記第１の変換器（２）によってデジタル信号に変換された送話音声に含まれる雑音を抑圧する雑音抑圧器（８）と、
前記雑音抑圧器（８）によって雑音が抑圧された後の送話信号のレベルおよび前記音声復号化器（１３）によって復号された受話信号のレベルに応じて、前記雑音が抑圧された後の送話信号のレベルを制御して側音として出力する側音レベル制御器（９’）とを含む、請求項１記載の送受話装置。
【請求項４】
前記側音回路（７ｅ）は、前記第１の変換器（２）によってデジタル信号に変換された送話音声に含まれる雑音を抑圧する雑音抑圧器（８）と、
前記第１の変換器（２）によってデジタル信号に変換された送話音声に含まれる背景雑音のレベルを検出する背景雑音レベル検出器（６）と、
前記背景雑音レベル検出器（６）によって検出された背景雑音のレベルに応じて、前記第１の変換器（２）によってデジタル信号に変換された送話音声および前記雑音抑圧器（８）によって雑音が抑圧された後の送話信号のいずれかを選択し、該選択された送話信号のレベルを制御して、側音として出力する側音レベル制御器（９’）とを含む、請求項１記載の送受話装置。
【請求項５】
前記側音回路（７ｆ）は、前記第１の変換器（２）によってデジタル信号に変換された送話音声に含まれる雑音を抑圧する雑音抑圧器（８）と、
前記第１の変換器（２）によってデジタル信号に変換された送話音声に含まれる背景雑音のレベルを検出する背景雑音レベル検出器（６）と、
前記背景雑音レベル検出器（６）によって検出された背景雑音のレベルに応じて、前記第１の変換器（２）によってデジタル信号に変換された送話音声および前記雑音抑圧器（８）によって雑音が抑圧された後の送話信号のいずれかを選択し、該選択された送話信号のレベルおよび前記音声復号化器（１３）によって復号された受話信号のレベルに応じて、前記選択された送話信号のレベルを制御して側音として出力する側音レベル制御器（９ｆ）とを含む、請求項１記載の送受話装置。
【請求項６】
送話音声をアナログ信号からデジタル信号に変換する第１の変換器（２）と、
前記第１の変換器（２）によってデジタル信号に変換された送話信号に含まれる雑音を抑圧する雑音抑圧器（８）と、
前記雑音抑圧器（８）によって雑音が抑圧された後の送話信号を符号化する音声符号化器（３）と、
前記音声符号化器（３）によって符号化された送話信号を送信する送信処理回路（４）と、
符号化された受話信号を受信する受信処理回路（１２）と、
前記受信処理回路（１２）によって受信された受話信号を復号する音声復号化器（１３）と、
前記雑音抑圧器（８）によって雑音が抑圧された後の送話信号に応じて側音を生成する側音回路（７ｃ，７ｄ）と、
側音が加算された後の受話信号をデジタル信号からアナログ信号に変換する第２の変換器（１５）とを含む送受話装置。
【請求項７】
前記側音回路（７ｃ）は、前記雑音抑圧器（８）によって雑音が抑圧された後の送話信号のレベルを制御し、側音として出力する側音レベル制御器（９）を含む、請求項６記載の送受話装置。
【請求項８】
前記側音回路（７ｄ）は、前記雑音抑圧器（８）によって雑音が抑圧された後の送話信号のレベルおよび前記音声復号化器（１３）によって復号された受話信号のレベルに応じて、前記雑音が抑圧された後の送話信号のレベルを制御して側音として出力する側音レベル制御器（９’）を含む、請求項６記載の送受話装置。
【発明の詳細な説明】
技術分野
本発明は、側音を制御する機能を有する携帯電話機などの送受話装置に関し、特に、雑音レベルを抑圧して側音制御を行なう送受話装置に関する。
背景技術
近年、携帯電話機などの送受話装置が広く普及している。このような送受話装置を構成する主要な機能の１つとして、側音レベルを制御する機能を挙げることができる。
図７は、側音制御機能を有する従来の送受話装置の概略構成を示すブロック図である。この送受話装置は、使用者（送話者）の音声を集音して送話信号を生成する送話用マイクロフォン１０１と、送話用マイクロフォン１０１によって生成された送話信号をアナログ信号からデジタル信号に変換するＡ／Ｄ（Ａｎａｌｏｇ／Ｄｉｇｉｔａｌ）変換器１０２と、Ａ／Ｄ変換器１０２によってデジタル信号に変換された送話信号を符号化して圧縮する音声符号化器１０３と、音声符号化器１０３によって圧縮された符号化信号に対して送信のための信号処理を行なう送信処理回路１０４と、送信処理回路１０４によって生成された送信信号を電話回線、アンテナ等を介して送出するための出力端子１０５と、Ａ／Ｄ変換器１０２によってデジタル信号に変換された送話信号に含まれる背景雑音レベルを検出する背景雑音レベル検出器１０６と、側音として受話器に戻す送話信号の利得制御を行なう可変利得アンプ１０７と、電話回線、アンテナ等を介して信号が入力される入力端子１１１と、入力端子１１１を介して信号を受信して信号処理を行なう受信処理回路１１２と、受信処理回路１１２によって信号処理された後の符号化信号を復号して受話信号を生成する音声復号化器１１３と、音声復号化器１１３から出力される受話信号に可変利得アンプ１０７から出力される側音を加算する加算器１１４と、加算器１１４から出力された受話信号をデジタル信号からアナログ信号に変換するＤ／Ａ（Ｄｉｇｉｔａｌ／Ａｎａｌｏｇ）変換器１１５と、Ｄ／Ａ変換器１１５から出力されたアナログ信号を増幅するアンプ１１６と、アンプ１１６から出力された受話信号を出力するスピーカ１１７とを含む。
送話用マイクロフォン１０１は、使用者（送話者）の音声を集音して電気信号（送話信号）に変換して出力する。Ａ／Ｄ変換器１０２は、送話用マイクロフォン１０１から出力された送話信号をアナログ信号からデジタル信号に変換して出力する。
音声符号化器１０３は、音声データ圧縮用のエンコーダによって構成され、Ａ／Ｄ変換器１０２から出力されたデジタル信号に対して情報圧縮および符号化を行なって送信処理回路１０４に出力する。
送信処理回路１０４は、音声符号化器１０３によって符号化された音声データを送信するために信号処理を行なって変調し、この変調信号を出力端子１０５に出力する。出力端子１０５は、変調信号を電話回線、アンテナなどを介して外部に送出する。
背景雑音レベル検出器１０６は、音声符号化器１０３が符号化処理を行なう際に計算した各パラメータを用いて背景雑音レベルを検出する。そして、背景雑音レベル検出器１０６は、検出した背景雑音レベルに応じて可変利得アンプ１０７を制御し、側音として受話信号に加算する送話信号の利得を変更する。なお、背景雑音レベル検出器１０６は、Ａ／Ｄ変換する前の送話信号に基づいて背景雑音レベルを検出するものであってもよい。
可変利得アンプ１０７は、背景雑音レベル検出器１０６による制御によって、Ａ／Ｄ変換器１０２から出力されたデジタル信号に対して可変利得制御を行ない、利得制御された後の送話信号を加算器１１４に出力する。なお、この可変利得アンプ１０７は、ゲインが１以下の可変減衰器であってもよい。
入力端子１１１は、電話回線、アンテナなどを介して外部から変調信号を入力する。受信処理回路１１２は、入力端子１１１を介して受信した変調信号に対して信号処理を行なって復調し、この復調信号を音声復号化器１１３に出力する。
音声復号化器１１３は、受信処理回路１１２から出力された復調信号に対して送話側の音声符号化器１０３における符号化処理と逆の処理を行ない、復調信号を復号する。
加算器１１４は、音声復号化器１１３から出力された受話信号に、可変利得アンプ１０７から出力された利得制御された後の送話信号を側音としてデジタル的に加算する。Ｄ／Ａ変換器１１５は、加算器１１４から出力された側音が加算された後の受話信号をアナログ信号に変換し、アンプ１１６に出力する。
アンプ１１６は、Ｄ／Ａ変換器１１５から出力されたアナログ信号を増幅し、スピーカ１１７に出力する。スピーカ１１７は、アンプ１１６から出力されたアナログ信号を再生して、側音が付加された受話者の音声を出力する。このようにして、背景雑音レベルに応じて側音の音量が制御され、使用者はスピーカ１１７から出力される側音が付加された受話音声を聴くことが可能となる。
たとえば、発話者の背景に存在する雑音のレベルが高い場合には、背景雑音レベル検出器１０６が可変利得アンプ１０７のゲインを下げるように制御を行なうので、側音に含まれる雑音レベルを低くすることができる。しかし、発話者の送話信号のレベルも低くなるため、側音制御機能が有効に動作しないといった問題点があった。
本発明は、上記問題点を解決するためになされたものであり、第１の目的は、送話者が適正な音量で発話を行なえるように側音を制御することが可能な送受話装置を提供することである。
第２の目的は、送話者の背景に存在する雑音のレベルによって側音のレベルが変更されるのを防止した送受話装置を提供することである。
発明の開示
本発明のある局面に従えば、送受話装置は、送話音声をアナログ信号からデジタル信号に変換するＡ／Ｄ変換器と、Ａ／Ｄ変換器によってデジタル信号に変換された送話信号を符号化する音声符号化器と、音声符号化器によって符号化された送話信号を送信する送信処理回路と、符号化された受話信号を受信する受信処理回路と、受信処理回路によって受信された受話信号を復号する音声復号化器と、Ａ／Ｄ変換器によってデジタル信号に変換された送話信号に含まれる雑音を抑圧し、音声復号化器によって復号された受話信号に付加する側音を生成する側音回路と、側音が加算された後の受話信号をデジタル信号からアナログ信号に変換するＤ／Ａ変換器とを含む。
側音回路は、Ａ／Ｄ変換器によってデジタル信号に変換された送話信号に含まれる雑音を抑圧した後に、音声復号化器によって復号された受話信号に付加する側音を生成するので、雑音のレベルによって側音のレベルが変更されるのを防止することが可能となる。
好ましくは、側音回路は、Ａ／Ｄ変換器によってデジタル信号に変換された送話音声に含まれる雑音を抑圧する雑音抑圧器と、雑音抑圧器によって雑音が抑圧された後の送話信号のレベルを制御し、側音として出力する側音レベル制御器とを含む。
したがって、適正な側音を生成するように送信信号のレベルを制御することが可能となる。
好ましくは、側音回路は、Ａ／Ｄ変換器によってデジタル信号に変換された送話音声に含まれる雑音を抑圧する雑音抑圧器と、雑音抑圧器によって雑音が抑圧された後の送話信号のレベルおよび音声復号化器によって復号された受話信号のレベルに応じて、雑音が抑圧された後の送話信号のレベルを制御して側音として出力する側音レベル制御器とを含む。
側音レベル制御器が送話信号のレベルおよび受話信号のレベルに応じて側音のレベルを制御するので、送話者が適正な音量で発話を行なえるように側音を制御することが可能となる。
好ましくは、側音回路は、Ａ／Ｄ変換器によってデジタル信号に変換された送話音声に含まれる雑音を抑圧する雑音抑圧器と、Ａ／Ｄ変換器によってデジタル信号に変換された送話音声に含まれる背景雑音のレベルを検出する背景雑音レベル検出器と、背景雑音レベル検出器によって検出された背景雑音のレベルに応じて、Ａ／Ｄ変換器によってデジタル信号に変換された送話音声および雑音抑圧器によって雑音が抑圧された後の送話信号のいずれかを選択し、選択された送話信号のレベルを制御して、側音として出力する側音レベル制御器とを含む。
側音レベル制御器が、背景雑音レベルに応じて送話信号を選択して側音のレベルを制御するので、背景雑音のレベルに影響を受けないように側音のレベルを制御することが可能となる。
好ましくは、側音回路はＡ／Ｄ変換器によってデジタル信号に変換された送話音声に含まれる雑音を抑圧する雑音抑圧器と、Ａ／Ｄ変換器によってデジタル信号に変換された送話音声に含まれる背景雑音のレベルを検出する背景雑音レベル検出器と、背景雑音レベル検出器によって検出された背景雑音のレベルに応じて、Ａ／Ｄ変換器によってデジタル信号に変換された送話音声および雑音抑圧器によって雑音が抑圧された後の送話信号のいずれかを選択し、選択された送話信号のレベルおよび音声復号化器によって復号された受話信号のレベルに応じて、選択された送話信号のレベルを制御して側音として出力する側音レベル制御器とを含む。
側音レベル制御器が、選択された送話信号のレベルおよび受話信号のレベルに応じて側音のレベルを制御するので、送話者が適正な音量で発話を行なえるように側音を制御することが可能となる。
本発明の別の局面に従えば、送受話装置は、送話音声をアナログ信号からデジタル信号に変換するＡ／Ｄ変換器と、Ａ／Ｄ変換器によってデジタル信号に変換された送話信号に含まれる雑音を抑圧する雑音抑圧器と、雑音抑圧器によって雑音が抑圧された後の送話信号を符号化する音声符号化器と、音声符号化器によって符号化された送話信号を送信する送信処理回路と、符号化された受話信号を受信する受信処理回路と、受信処理回路によって受信された受話信号を復号する音声復号化器と、雑音抑圧器によって雑音が抑圧された後の送話信号に応じて側音を生成する側音回路と、側音が加算された後の受話信号をデジタル信号からアナログ信号に変換するＤ／Ａ変換器とを含む。
側音回路は、雑音抑圧器によって雑音が抑圧された送話信号に応じて、音声復号化器によって復号された受話信号に付加する側音を生成するので、雑音のレベルによって側音のレベルが変更されるのを防止することが可能となる。また、音声符号化器が雑音抑圧器によって雑音が抑圧された後の送話信号を符号化し、送信処理回路がその符号化された送話信号を送信するので、受話者に対して雑音の少ない音声を送信することが可能となる。
好ましくは、側音回路は、雑音抑圧器によって雑音が抑圧された後の送話信号のレベルを制御し、側音として出力する側音レベル制御器を含む。
したがって、適正な側音を生成するように送信信号のレベルを制御することが可能となる。
好ましくは、側音回路は、雑音抑圧器によって雑音が抑圧された後の送話信号のレベルおよび音声復号化器によって復号された受話信号のレベルに応じて、雑音が抑圧された後の送話信号のレベルを制御して側音として出力する側音レベル制御器を含む。
側音レベル制御器が送話信号のレベルおよび受話信号のレベルに応じて側音のレベルを制御するので、送話者が適正な音量で発話を行なえるように側音を制御することが可能となる。
発明を実施するための最良の形態
本発明をより詳細に説明するために、添付の図面にしたがってこれを説明する。
（第１の実施例）
図１は、本発明の第１の実施例における側音回路を備えた送受話装置の概略構成を説明するためのブロック図である。この送受話装置は、使用者（送話者）の音声を集音して送話信号を生成する送話用マイクロフォン１と、送話用マイクロフォン１によって生成された送話信号をアナログ信号からデジタル信号に変換するＡ／Ｄ変換器２と、Ａ／Ｄ変換器２によってデジタル信号に変換された送話信号を符号化して圧縮する音声符号化器３と、音声符号化器３によって圧縮された符号化信号に対して送信のための信号処理を行なう送信処理回路４と、送信処理回路４によって生成された送信信号を電話回線、アンテナ等を介して送出するための出力端子５と、Ａ／Ｄ変換器２によってデジタル信号に変換された送話信号に含まれる背景雑音を抑圧して受話信号に付加する側音を生成する側音回路７ａと、電話回線、アンテナ等を介して信号が入力される入力端子１１と、入力端子１１を介して信号を受信して信号処理を行なう受信処理回路１２と、受信処理回路１２によって信号処理された後の符号化信号を復号して受話信号を生成する音声復号化器１３と、音声復号化器１３から出力された受話信号に側音回路７ａから出力される側音を加算する加算器１４と、加算器１４から出力された受話信号をデジタル信号からアナログ信号に変換するＤ／Ａ変換器１５と、Ｄ／Ａ変換器１５から出力されたアナログ信号を増幅するアンプ１６と、アンプ１６から出力された受話信号を出力するスピーカ１７とを含む。
送話用マイクロフォン１は、使用者（送話者）の音声を集音して電気信号（送話信号）に変換して出力する。Ａ／Ｄ変換器２は、送話用マイクロフォン１から出力された送話信号をアナログ信号からデジタル信号に変換して出力する。このデジタル信号に変換された送話信号は、音声符号化器３および側音回路７ａに入力される。
音声符号化器３は、音声データ圧縮用のエンコーダによって構成され、Ａ／Ｄ変換器２から出力されたデジタル信号に対して情報圧縮および符号化を行なって送信処理回路４に出力する。
送信処理回路４は、音声符号化器３によって符号化された音声データを送信するために信号処理を行なって変調し、この変調信号を出力端子５に出力する。出力端子５は、変調信号を電話回線、アンテナなどを介して外部に送出する。
入力端子１１は、電話回線、アンテナなどを介して外部から変調信号を入力する。受信処理回路１２は、入力端子１１を介して受信した変調信号に対して信号処理を行なって復調し、この復調信号を音声復号化器１３に出力する。
音声復号化器１３は、受信処理回路１２から出力された復調信号に対して送話側の音声符号化器３における符号化処理と逆の処理を行ない、復調信号を復号する。加算器１４は、音声復号化器１３から出力された受話信号に、側音回路７ａから出力された側音をデジタル的に加算する。
Ｄ／Ａ変換器１５は、加算器１４から出力された側音が加算された後の受話信号をアナログ信号に変換し、アンプ１６に出力する。アンプ１６は、Ｄ／Ａ変換器１５から出力されたアナログ信号を増幅し、スピーカ１７に出力する。スピーカ１７は、アンプ１６から出力されたアナログ信号を再生して、側音が付加された送話者の音声を出力する。
側音回路７ａは、Ａ／Ｄ変換器２から出力されるデジタル信号に変換された後の送話信号に含まれる背景雑音を抑圧する雑音抑圧器８と、雑音抑圧器８によって雑音が抑圧された後の送話信号のレベルを制御して、側音として加算器１４に出力する側音レベル制御器９とを含む。
雑音抑圧器８は、Ａ／Ｄ変換器２から出力されたデジタル信号に変換された後の送話信号に対して、たとえばカルマンフィルタ処理などの雑音抑圧処理を行ない、背景雑音が抑圧された送話信号を出力する。なお、雑音抑圧器８は、時間領域で雑音抑圧処理を行なうウィナーフィルタリングなどのフィルタリング処理、周波数領域で雑音抑圧処理を行なうスペクトルサブトラクション処理などであってもよい。
側音レベル制御器９は、雑音抑圧器８から出力された雑音が抑圧された後の送話信号に対してデジタル的にレベル制御を行ない、側音として加算器１４に出力する。この側音レベル制御器９は、最適な音量で側音が受話信号に付加されるように、送話信号に所定のゲインをデジタル的に乗算してレベル制御を行なう。
以上説明したように、本実施例における送受話装置によれば、側音レベル制御器９が、雑音抑圧器８によって背景雑音が抑圧された後の送話信号のレベルを制御して加算器１４に出力するようにしたので、送話者の背景に存在する雑音レベルを抑圧しつつも雑音レベルの大きさによって側音のレベルが変更されなくなり、固定電話機で用いられる側音制御機能と同等の機能を実現することができ、送話者は適正な音量で発話を行なうことが可能となった。
（第２の実施例）
図２は、本発明の第２の実施例における送受話装置の概略構成を示すブロック図である。本実施例における送受話装置は、図１に示す第１の実施例における送受話装置と比較して、側音レベル制御器が、送話信号のレベルおよび受話信号のレベルに応じて、側音のレベルを制御する点のみが異なる。したがって、重複する構成及び機能の詳細な説明は繰返さない。なお、本実施例における側音回路および側音レベル制御器の参照符号を、それぞれ７ｂおよび９’として説明する。
側音回路７ｂは、Ａ／Ｄ変換器２から出力されるデジタル信号に変換された後の送話信号に含まれる背景雑音を抑圧する雑音抑圧器８と、送話信号のレベルおよび受話信号のレベルに応じて、側音のレベルを制御して加算器１４に出力する側音レベル制御器９’とを含む。
側音レベル制御器９’は、雑音抑圧器８から出力される背景雑音が抑制された後の送話信号と、音声復号化器１３から出力される復号された後の受話信号のレベルとに基づいて、側音のレベルを制御する。たとえば、送話信号のレベルが大きく、受話信号のレベルが小さい場合、側音レベル制御器９’は、側音のレベルが小さくなるように送話信号にゲインを乗算することで相対的に受話音声の明瞭度を向上させる。
また、一般に、送話者は耳に戻る側音のレベルが小さいと発声レベルを高め、側音のレベルが高いと発声レベルを低くする。このことから、送話音声信号のレベルが小さく、受話音声信号のレベルが大きい場合、側音レベル制御器９’は、側音レベルが大きくなるように送話信号にゲインを乗算することで送話者の発声レベルを相対的に小さくする。なお、側音レベル制御器９’は、たとえば音声の平均パワーを計算することによって、送話信号のレベルおよび受話信号のレベルを求める。
以上説明したように、本実施例における送受話装置によれば、側音レベル制御器９’が、送話信号のレベルおよび受話信号のレベルに応じて、側音のレベルを制御するようにしたので、送話者の発声レベルが適正となるように音声復号化器１３から出力される受話信号に側音を付加することができ、送話者は適正な音量で発話を行なうことが可能となった。
（第３の実施例）
図３は、本発明の第３の実施例における送受話装置の概略構成を示すブロック図である。本実施例における送受話装置は、図１に示す第１の実施例における送受話装置と比較して、側音回路７ａ内に備えられていた雑音抑圧器８が、Ａ／Ｄ変換器２と音声符号化器３との間に接続される点のみが異なる。したがって、重複する構成及び機能の詳細な説明は繰返さない。なお、本実施例における側音回路の参照符号を７ｃとして説明する。
音声符号化器３は、雑音抑圧器８によって背景雑音が抑圧された後の送話信号に対して情報圧縮および符号化を行なって送信処理回路４に出力する。
側音回路７ｃは、雑音抑圧器８によって背景雑音が抑圧された後の送話信号のレベルを制御して、側音として加算器１４に出力する側音レベル制御器９を含む。
以上説明したように、本実施例における送受話装置によれば、雑音抑圧器８がＡ／Ｄ変換器２と音声符号化器３との間に接続されるようにしたので、第１の実施例において説明した効果に加えて、送話信号に含まれる背景雑音が抑圧された送話信号が、電話回線またはアンテナ等を介して送出されるようになり、受話側に雑音が抑圧された送信信号を送信することが可能となった。
また、一般的な携帯電話機のように雑音抑圧器が既に搭載されている場合には、側音回路の構成を変更するのみで本実施例における送受話装置を実現することが可能となる。
（第４の実施例）
図４は、本発明の第４の実施例における送受話装置の概略構成を示すブロック図である。本実施例における送受話装置は、図２に示す第２の実施例における送受話装置と比較して、側音回路７ｂ内に備えられていた雑音抑圧器８が、Ａ／Ｄ変換器２と音声符号化器３との間に接続される点のみが異なる。したがって、重複する構成及び機能の詳細な説明は繰返さない。なお、本実施例における側音回路の参照符号を７ｄとして説明する。
音声符号化器３は、雑音抑圧器８によって背景雑音が抑圧された後の送話信号に対して情報圧縮および符号化を行なって送信処理回路４に出力する。
側音回路７ｄは、送話信号のレベルおよび受話信号のレベルに応じて、側音のレベルを制御して加算器１４に出力する側音レベル制御器９’を含む。
側音レベル制御器９’は、雑音抑圧器８から出力される背景雑音が抑制された後の送話信号と、音声復号化器１３から出力される復号された後の受話信号のレベルとに基づいて、側音のレベルを制御する。
以上説明したように、本実施例における送受話装置によれば、雑音抑圧器８がＡ／Ｄ変換器２と音声符号化器３との間に接続されるようにしたので、第２の実施例において説明した効果に加えて、送話信号に含まれる背景雑音が抑圧された送話信号が、電話回線またはアンテナ等を介して送出されるようになり、受話側に雑音が抑圧された送信信号を送信することが可能となった。
また、一般的な携帯電話機のように雑音抑圧器が既に搭載されている場合には、側音回路の構成を変更するのみで本実施例における送受話装置を実現することが可能となる。
（第５の実施例）
図５は、本発明の第５の実施例における送受話装置の概略構成を示すブロック図である。本実施例における送受話装置は、図１に示す第１の実施例における送受話装置と比較して、側音回路の構成が異なる点のみが異なる。したがって、重複する構成及び機能の詳細な説明は繰返さない。なお、本実施例における側音回路の参照符号を７ｅとして説明する。
側音回路７ｅは、Ａ／Ｄ変換器２によってデジタル信号に変換された送話信号に含まれる背景雑音レベルを検出する背景雑音レベル検出器６と、背景雑音レベル検出器６から出力される背景雑音レベルに応じてＡ／Ｄ変換器２から出力される送話信号を選択的に出力するスイッチ１０と、Ａ／Ｄ変換器２から出力されるデジタル信号に変換された後の送話信号に含まれる背景雑音を抑圧する雑音抑圧器８と、Ａ／Ｄ変換器２から出力される送話信号または雑音抑圧器８から出力される背景雑音が抑圧された後の送話信号と背景雑音レベル検出器６によって検出された背景雑音レベルとに応じて、側音のレベルを制御して加算器１４に出力する側音レベル制御器９”とを含む。
背景雑音レベル検出器６は、Ａ／Ｄ変換器２から出力される送話信号を受け、たとえば送話信号のパワーなどのパラメータを用いて背景雑音レベルを検出する。そして、この検出レベルが所定のしきい値以上であれば送話者の背景雑音レベルが高いと判断し、スイッチ１０の入力端子を出力端子１０ａに接続して、Ａ／Ｄ変換器２から出力される送話信号を雑音抑圧器８に入力する。
また、検出レベルが所定のしきい値よりも小さければ送話者の背景雑音レベルが低いと判断し、スイッチ１０の入力端子を出力端子１０ｂに接続して、Ａ／Ｄ変換器２から出力される送話信号をそのまま側音レベル制御器９”に入力する。
側音レベル制御器９”は、背景雑音レベル検出器６から出力される背景雑音レベルが低い場合、この背景雑音レベルに応じてＡ／Ｄ変換器２から出力される送話信号をデジタル的にレベル制御し、レベル制御された後の送話信号を側音として加算器１４へ出力する。
また、側音レベル制御器９”は、背景雑音レベル検出器６から出力される背景雑音レベルが高い場合、この背景雑音レベルに応じて雑音抑圧器８から出力される雑音が抑圧された後の送話信号をデジタル的にレベル制御し、レベル制御された後の送話信号を側音として加算器１４へ出力する。
以上説明したように、本実施例における送受話装置によれば、背景雑音レベル検出器６から出力される背景雑音レベルに応じて背景雑音を抑圧するか否かを判断するとともに、背景雑音レベルに応じて側音のレベルを制御するようにしたので、送話者の背景に存在する雑音レベルの大きさにかかわらず適正なレベルで側音を受話信号に付加することができ、送話者が適正な音量で発話を行なうことが可能となった。
（第６の実施例）
図６は、本発明の第６の実施例における送受話装置の概略構成を示すブロック図である。本実施例における送受話装置は、図５に示す第５の実施例における送受話装置と比較して、側音レベル制御器が、背景雑音レベル、送話信号のレベルおよび受話信号のレベルに応じて、側音のレベルを制御する点のみが異なる。したがって、重複する構成及び機能の詳細な説明は繰返さない。なお、本実施例における側音回路および側音レベル制御器の参照符号を、それぞれ７ｆおよび９ｆとして説明する。
側音回路７ｆは、Ａ／Ｄ変換器２または雑音抑圧器８から出力される送話信号のレベル、音声復号化器１３から出力される受話音声信号のレベルおよび背景雑音レベル検出器６から出力される背景雑音レベルに応じて、側音のレベルを制御して加算器１４に出力する側音レベル制御器９ｆを含む。
側音レベル制御器９ｆは、背景雑音レベル検出器６から出力される背景雑音が低い場合には、Ａ／Ｄ変換器２から出力される送話信号を入力する。また、背景雑音レベル検出器６から出力される背景雑音が高い場合には、雑音抑圧器８から出力される背景雑音が抑圧された後の送話信号を入力する。
側音レベル制御器９ｆは、Ａ／Ｄ変換器２から出力される送話音声信号のレベルまたは雑音抑圧器８から出力される背景雑音が抑制された後の送話信号のレベルと、音声復号化器１３から出力される復号された後の受話信号のレベルとに基づいて、側音のレベルを制御する。たとえば、送話信号のレベルが大きく、受話信号のレベルが小さい場合、側音レベル制御器９ｆは、側音のレベルが小さくなるように送話信号にゲインを乗算することで相対的に受話音声の明瞭度を向上させる。
また、一般に、送話者は耳に戻る側音のレベルが小さいと発声レベルを高め、側音のレベルが高いと発声レベルを低くする。このことから、送話信号のレベルが小さく、受話信号のレベルが大きい場合、側音レベル制御器９ｆは、側音レベルが大きくなるように送話信号にゲインを乗算することで送話者の発声レベルを相対的に小さくする。なお、側音レベル制御器９ｆは、たとえば音声の平均パワーを計算することによって、送話信号のレベルおよび受話信号のレベルを求める。
以上説明したように、本実施例における送受話装置によれば、側音レベル制御器９ｆが、送話信号のレベルおよび受話信号のレベルに応じて、側音のレベルを制御するようにしたので、第５の実施例において説明した効果に加えて、送話者の発声レベルが適正となるように音声復号化器１３から出力される受話信号に側音を付加することが可能となった。
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
図１は、本発明の第１の実施例における側音回路を備えた送受話装置の概略構成を示すブロック図である。
図２は、本発明の第２の実施例における側音回路を備えた送受話装置の概略構成を示すブロック図である。
図３は、本発明の第３の実施例における側音回路を備えた送受話装置の概略構成を示すブロック図である。
図４は、本発明の第４の実施例における側音回路を備えた送受話装置の概略構成を示すブロック図である。
図５は、本発明の第５の実施例における側音回路を備えた送受話装置の概略構成を示すブロック図である。
図６は、本発明の第６の実施例における側音回路を備えた送受話装置の概略構成を示すブロック図である。
図７は、側音制御機能を有する従来の送受話装置の概略構成を示すブロック図である。
【図１】
2003103253.tif 000003
【図２】
2003103253.tif 000004
【図３】
2003103253.tif 000005
【図４】
2003103253.tif 000006
【図５】
2003103253.tif 000007
【図６】
2003103253.tif 000008
【図７】
2003103253.tif 000009
【手続補正書】
【提出日】平成16年11月25日(2004.11.25)
【手続補正１】
【補正対象書類名】図面
【補正対象項目名】全図
【補正方法】変更
【補正の内容】
【図１】
2003103253.tif 000010
【図２】
2003103253.tif 000011
【図３】
2003103253.tif 000012
【図４】
2003103253.tif 000013
【図５】
2003103253.tif 000014
【図６】
2003103253.tif 000015
【図７】
2003103253.tif 000016
【国際調査報告】
2003103253.tif 000017
2003103253.tif 000018